【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】  無線によって双方向デジタル・データ信号の通信を行うように構成された第1および第2の人工聴覚器官を備えたステレオ聴覚システムであって、前記第1の人工聴覚器官は、
受け取った音響信号に応じて第1入力信号を発生するように構成された第1マイクロフォンと、
第1デジタル入力信号を発生するために第1サンプリング・クロック信号によって前記第1入力信号をサンプリングするように構成された第1アナログ／デジタル変換器と、
互いに同期した符号化クロック信号、データ・レート・クロック信号および前記第1サンプリング・クロックを発生するように構成された第1クロック発生器と、
前記符号化クロック信号に同期して反復符号化シーケンスを発生するように構成された第1シーケンス発生器と、
前記データ・レート・クロック信号に同期して第1データ信号を供給するように構成された第1データ発生手段と、
第1変調データ信号を第2人工聴覚器官の第2無線送受信器へ送信するために前記第1データ信号を受けて前記反復符号化シーケンスで変調し、前記第2無線送受信器から受信した第2変調データ信号から第2データ信号を復元するように構成された第1無線送受信器と、
第1加工済データ信号を第1音響あるいは電気出力信号に変換するように構成された第1出力手段を備え、
前記第2人工聴覚器官は、
受け取った音響信号に応じて第2入力信号を発生するように構成された第2マイクロフォンと、
第2デジタル入力信号を発生するために第2サンプリング・クロック信号によって前記第2入力信号をサンプリングするように構成された第2アナログ／デジタル変換器と、
第2符号化クロック信号に同期して前記第1シーケンス発生器の反復符号化シーケンスのバージョンを発生するように構成された第2シーケンス発生器と、
復元クロック信号に同期して第2データ信号を供給するように構成された第2データ発生手段と、
前記第1無線送受信器からの前記第1変調データ信号を受信し、かつ第2変調データ信号を前記第1無線送受信器へ送信するために、前記バージョンの反復符号化シーケンスで前記第2データ信号を変調するように構成された第2無線送受信器と、
前記第1変調データ信号と前記バージョンの反復符号化シーケンスとを関係づけることによって、前記第1データ信号を復元し、かつ前記第1符号化クロック信号に同期して前記第2サンプリング・クロック信号と前記復元クロック信号を発生するために、前記第1変調データ信号にロックするよう構成された第2クロックおよびデータ復元手段と、
第2処理済データ信号を第1音響あるいは電気出力信号に変換するように構成された第2出力手段を備え、
これによって、各マイクロフォン入力信号を同期サンプリングする聴覚システムを提供するために、人工聴覚器官の各サンプリング・クロック信号が、時間的に同期するステレオ聴覚システム。
【請求項２】  前記第1人工聴覚器官のデータ発生手段は、前記第1処理済データを供給するために、予め決められた信号処理アルゴリズムに従って前記第1デジタル入力信号と前記第2データ信号を処理するように構成されたデジタル・シグナル・プロセッサを備えるか、
もしくは
前記第2人工聴覚器官のデータ発生手段が、前記第2処理済データ信号を供給するために、予め決められた信号処理アルゴリズムに従って前記第1データ信号と前記第2デジタル入力信号を処理するように構成されたデジタル・シグナル・プロセッサを備える請求項１のステレオ聴覚システム。
【請求項３】  前記第1人工聴覚器官のデータ発生手段は、
前記第1処理済データ信号を前記第1出力手段に供給するために、予め決められた第1信号処理アルゴリズムに従って前記第1デジタル入力信号と前記第2データ信号を処理するように構成された第1デジタル・シグナル・プロセッサを備え、
前記第2人工聴覚器官の前記データ発生手段は、
前記第2処理済データ信号を前記第2出力手段に供給するために、予め決められた第2信号処理アルゴリズムに従って前記第2デジタル入力信号と前記第1データ信号を処理するように構成された第2デジタル・シグナル・プロセッサを備える請求項１のステレオ聴覚システム。
【請求項４】  前記第1デジタル・シグナル・プロセッサと前記第1出力手段は、前記符号化クロック信号に同期して動作し、前記第2デジタル・シグナル・プロセッサと前記第2出力手段は、前記復元クロック信号に同期して動作し、
これによって、位相の揃った音響もしくは電気出力信号を使用者に供給できる聴覚システムを提供するために、各人工聴覚器官の音響もしくは電気出力信号は、時間的に同期化されうる請求項３のステレオ聴覚システム。
【請求項５】  さらに第2の人工聴覚器官は、
第2符号化クロック信号と前記第２サンプリング・クロック信号を発生するように構成された第2クロック発振器と、
前記第2クロックおよびデータ復元手段と前記第2クロック発振器に作用的に接続され、前記第2人工聴覚器官のクロック信号源として前記第2クロックおよびデータ復元手段と前記第2クロック発振器を選択的に使用するように構成されたクロック・モード選択手段を備え、
これによって前記第1変調データ信号が中断している期間中に、各人工聴覚器官のモノラル動作モードを支援する請求項１〜４のいずれかのステレオ聴覚システム。
【請求項６】  前記第1人工聴覚器官は、さらに、前記第1人工聴覚器官のクロック信号を前記第2クロック発振器に同期させるために、両方の人工聴覚器が前記第2変調データ信号にロックすることのできる第１クロックおよびデータ復元手段を備え、
これによってステレオ動作期間中に、第1または第2人工聴覚器官が、一方がマスター・デバイス、他方がスレーブ・デバイスとして動作することが可能な請求項５のステレオ聴覚システム。
【請求項７】  前記各人工聴覚器官は、
ホスト・プログラム・システムと前記人工聴覚器官の間でプログラムデータを交換するためのプログラム・インターフェイスと、
前記プログラム・インターフェイスを介してプログラム可能であり、かつそれらの動作を制御するために前記クロック・モード選択手段に作用的に接続されたコンフィギュレーション・レジスタを備え、
これによって適合セッション設定可能なシステムを支援する請求項６のステレオ聴覚システム。
【請求項８】  さらに前記第1無線送受信器は、
前記第2人工聴覚器官に送信する第1RF変調データ信号を生成および送信するために前記第1変調データ信号をさらに変調するように構成された第1RF変調器と、前記第2RF変調データ信号から前記第2変調データ信号を復元するように構成された第1復調器を備え、
さらに、前記第2無線送受信器は
前記第1人工聴覚器官に送信する前記第2RF変調データ信号を生成及び送信するために前記第2変調データ信号をさらに変調するように構成された第2RF変調器と、前記第1無線送受信機からの前記第1RF変調データ信号から前記第1変調データ信号を復元するように構成された第2RF復調器を備えることを特徴とする請求項１〜７のいずれかのステレオ聴覚システム。
【請求項９】  前記第1および第2の無線送受信器はそれぞれ誘導コイルを備え、
前記誘導コイルが、前記誘導コイル間の近接磁気結合を利用して変調データ信号又はRF変調データ信号を送受信するように構成された請求項１〜８のいずれかのステレオ聴覚システム。
【請求項１０】  第1及び第2の人工聴覚器官を備えた無線式同期補聴システムであって、
前記第1の人工聴覚器官はさらに、
受け取った音響信号に応じて第1入力信号を発生するように構成された第1マイクロフォンと、
第1デジタル入力信号を発生するために第1サンプリング・クロック信号によって前記第1入力信号をサンプリングするように構成された第1アナログ／デジタル変換器と、
互いに同期して符号化クロック信号および前記第1サンプリング・クロック信号を発生するように構成された第1クロック発生器と、
前記符号化クロック信号に同期して反復符号化シーケンスを発生するように構成された第1シーケンス発生器と、
反復符号化シーケンスに基づいて前記第2人工聴覚器官の第2無線受信器へ同期信号を送信するように構成された第1無線送受信器と、
第1音響出力信号を供給するために、前記符号化クロック信号に同期して作動し、予め決められた第2信号処理アルゴリズムに従って前記第2デジタル入力信号を処理するように構成された第1デジタル・シグナル・プロセッサおよび第1出力手段を備え、
前記第2人工聴覚器官は、
受け取った音響信号に応じて第2入力信号を発生するように構成された第2マイクロフォンと、
第2デジタル入力信号を発生するために第2サンプリング・クロック信号を用いて前記第2入力信号をサンプリングするように構成された第2アナログ／デジタル変換器と、
復元クロック信号に同期して前記第1シーケンス発生器の反復符号化シーケンスのバージョンを発生するように構成された第2シーケンス発生器と、
前記同期信号を受信し、前記反復符号化シーケンスを復元するように構成された第2無線受信器と、
前記同期信号と前記バージョンの反復符号化シーケンスを関係づけることによって、前記第1符号化クロック信号に同期した前記復元クロック信号および前記第2サンプリング・クロック信号を発生するために、復元のための前記同期信号にロックするように構成された第2クロック復元手段と、
前記復元クロック信号に同期して作動し、第2音響出力信号を供給するために、予め決められた第2信号処理アルゴリズムに従って前記第2デジタル入力信号を処理するように構成された第2デジタル・シグナル・プロセッサおよび第2出力手段を備え、
これによって、両方の人工聴覚器官の信号遅延が一致した、DSPを用いた無線式同期補聴システムを提供するために、人工聴覚器官は時間的に同期して動作する無線式同期補聴システム。
【請求項１１】  前記第1は、第2人工聴覚器官の動作モードを制御するためのデジタル制御データを発生するように構成され、
前記第1無線送受信器は、反復符号化シーケンスによってデジタル制御データを変調し、前記デジタル制御データを同期信号として使用するように構成された請求項１０の同期補聴システム。
【請求項１２】  前記第1および第2シーケンス発生器の各反復符号化シーケンスが、擬似ランダム雑音（PN）シーケンスからなる請求項１０または１１の同期聴覚システム。
【請求項１３】  前記第1シーケンス発生器が、周波数ホッピング方式反復符号化シーケンスを発生するために、擬似ランダム雑音（PN）シーケンスの値に基づいて周波数シンセサイザーの搬送周波数を選択するように構成された請求項１０または１１の同期聴覚システム。